(57)【要約】【課題】制御機能付コネクタ装置を個別に管理する手間を省くことができ、かつ、部品点数をなるべく少なくすること。【解決手段】ＩＣ１１を実装したフレキシブル配線基板２０に、アドレス設定用パターン３０ａ，３０ｂ，３０ｃ，３０ｄを形成する。設定すべきアドレスに応じて、フレキシブル配線基板２０を打抜いて所定のアドレス設定用パターン３０ａ，３０ｂ，３０ｃ，３０ｄを切断する。アドレス設定用パターン３０ａ，３０ｂ，３０ｃ，３０ｄの切断状態に応じて、ＩＣ１１にロー又はハイレベルの信号が信号入力アドレス設定用の信号として入力される。【選択図】図２
2005276489.tif 000002
【特許請求の範囲】
【請求項１】
外部配線と電装機器とに接続される制御機能付コネクタ装置であって、
通信機能と、所定の制御機能と、当該制御機能付コネクタ装置の通信アドレスの設定を受け付ける機能とを有する電子素子と、
前記電子素子が実装されると共に、一端部が前記電子素子に接続されると共に他端部が所定の電位レベルに保たれるアドレス設定用パターンが形成された基板と、
前記基板のうち前記アドレス設定用パターンの配線経路の途中対応部分に除去部が形成され、前記除去部で前記アドレス設定用パターンが切断されることにより、前記アドレス設定用パターンの一端部の電位レベルが変化し、その変化に基づいて前記電子素子が前記アドレスの設定を受け付ける、制御機能付コネクタ装置。
【請求項２】
請求項１記載の制御機能付コネクタ装置であって、
前記除去部は、前記基板の一側部に形成された舌片状部分であり、
前記アドレス設定用パターンは、略Ｕ字状を描いて前記舌片状部分を経由するように形成された、制御機能付コネクタ装置。
【請求項３】
請求項１記載の制御機能付コネクタ装置であって、
前記基板は、両側部が周囲から分離されたブリッジ状部分を有し、
前記アドレス設定用パターンは、前記ブリッジ状部分を経由するように形成された、制御機能付コネクタ装置。
【請求項４】
請求項２又は請求項３記載の制御機能付コネクタ装置であって、
前記舌片状部分の基端部、又は、前記ブリッジ状部分の両端部に、それらの部分の他から分離させるための分離ラインが形成された、制御機能付コネクタ装置。
【請求項５】
請求項１記載の制御機能付コネクタ装置であって、
前記基板は、フレキシブルプリント基板であり、
前記フレキシブルプリント基板の一部が前記除去部として前記アドレス設定用パターンと共に除去されることで、前記アドレス設定用パターンが切断される、制御機能付コネクタ装置。
【請求項６】
請求項１〜請求項５のいずれかに記載の制御機能付コネクタ装置であって、
前記基板を収容するハウジングをさらに備え、
前記ハウジングに、前記除去部で前記アドレス設定用パターンを切断するための治具を挿入するための孔部が形成された、制御機能付コネクタ装置。
【発明の詳細な説明】
【技術分野】
【０００１】
この発明は、負荷制御や通信制御等の制御機能を組込んだ制御機能付コネクタ装置にアドレスを設定するための技術に関する。
【背景技術】
【０００２】
１つ又は複数の制御機器が、多重通信を用いて複数の被制御機器を制御等するシステムにおいて、制御機器が被制御機器を識別するために、各被制御機器にアドレスを設定する必要がある。
【０００３】
この場合、各被制御機器に接続されるコネクタ装置にアドレスを設定し、このコネクタ装置に設定されたアドレスをもって各被制御機器を識別するシステムが考えられている。
【０００４】
各コネクタ装置にアドレスを設定する技術としては、コネクタ装置に、通信用及び電源供給用等の正規の端子ピンの他に、グランド接続等がされたアドレス設定用の端子ピンを設け、このアドレス設定用の端子ピンによる負荷側の接続パターンの違いによりアドレス設定を行う技術がある。
【０００５】
本願発明に関連する先行技術としては、例えば特許文献１に記載のものがある。
【０００６】
【特許文献１】特開平２００３−１２７６４６号公報
【発明の開示】
【発明が解決しようとする課題】
【０００７】
しかしながら、上記の技術では、コネクタに設けた端子ピンによりアドレス設定を行うため、部品点数が増加してしまうという問題がある。
【０００８】
また、アドレス種別の数だけコネクタ装置の種類を製造、管理する必要がある。
【０００９】
そこで、本発明は、各制御機能付コネクタ装置を個別に管理する手間を省くことができ、かつ、部品点数をなるべく少なくすることができる技術を提供することにある。
【課題を解決するための手段】
【００１０】
この発明の第１の態様は、外部配線と電装機器とに接続される制御機能付コネクタ装置であって、通信機能と、所定の制御機能と、当該制御機能付コネクタ装置の通信アドレスの設定を受け付ける機能とを有する電子素子と、前記電子素子が実装されると共に、一端部が前記電子素子に接続されると共に他端部が所定の電位レベルに保たれるアドレス設定用パターンが形成された基板と、前記基板のうち前記アドレス設定用パターンの配線経路の途中対応部分に除去部が形成され、前記除去部で前記アドレス設定用パターンが切断されることにより、前記アドレス設定用パターンの一端部の電位レベルが変化し、その変化に基づいて前記電子素子が前記アドレスの設定を受け付けるものである。
【００１１】
この場合に、除去部は、前記基板の一側部に形成された舌片状部分であり、前記アドレス設定用パターンは、略Ｕ字状を描いて前記舌片状部分を経由するように形成された構成としてもよい。
【００１２】
また、前記基板は、両側部が周囲から分離されたブリッジ状部分を有し、前記アドレス設定用パターンは、前記ブリッジ状部分を経由するように形成された構成であってもよい。
【００１３】
これらの場合に、前記舌片状部分の基端部、又は、前記ブリッジ状部分の両端部に、それらの部分の他から分離させるための分離ラインが形成されているとよい。
【００１４】
また、前記基板は、フレキシブルプリント基板であり、前記フレキシブルプリント基板の一部が前記除去部として前記アドレス設定用パターンと共に除去されることで、前記アドレス設定用パターンが切断される構成であってもよい。
【００１５】
また、前記基板を収容するハウジングをさらに備え、前記ハウジングに、前記除去部で前記アドレス設定用パターンを切断するための治具を挿入するための孔部が形成されていてもよい。
【発明の効果】
【００１６】
この発明の第１の態様によると、除去部でアドレス設定用パターンが切断されることにより、電子素子が通信アドレスの設定を受け付けるため、本制御機能付コネクタ装置を電装機器に接続する段階でアドレスを設定できる。従って、その前段階で、各制御機能付コネクタ装置を個別に管理する手間を省くことができる。また、基板にアドレス設定用パターンを形成しているため、従来のように、アドレス設定用の端子ピンを設ける必要が無く、部品点数を比較的少なくすることができる。
【００１７】
アドレス設定用パターンが、略Ｕ字状を描いて基板の舌片状部分を経由するように形成されているため、その舌片状部分を分離させることで、アドレス設定用パターンを途中で切断して、容易にアドレスを設定することができる。
【００１８】
また、基板は、両側部が周囲から分離されたブリッジ状部分を有し、アドレス設定用パターンは、前記ブリッジ状部分を経由するように形成されていると、そのブリッジ状部分を分離させることで、アドレス設定用パターンを途中で切断して、容易にアドレスを設定することができる。
【００１９】
さらに、舌片状部分の基端部、又は、ブリッジ状部分の両端部に、それらの部分の他から容易に分離させるための分離ラインが形成されていると、それらを当該分離ラインに沿って容易かつ正確な位置で、分離させることができる。
【００２０】
また、基板は、フレキシブルプリント基板であると、打抜き刃等を用いて、フレキシブルプリント基板の所定部分を切離すことで、アドレス設定用パターンを途中で切断して、容易にアドレスを設定することができる。
【００２１】
さらに、ハウジングに、除去部でアドレス設定用パターンを切断するための治具を挿入するための孔部が形成されていると、制御機能付コネクタ装置を分解して基板を外部に露出させることなく、アドレスを設定できる。
【発明を実施するための最良の形態】
【００２２】
以下、この発明の実施形態に係る制御機能付コネクタ装置について説明する。図１は制御機能付コネクタ装置の全体構成を示す説明図であり、図２は制御機能付コネクタ装置内部の要部を示す図である。
【００２３】
この制御機能付コネクタ装置は、図３に示すような、制御システムで用いられる。この制御システムは、制御装置２と制御対象となる負荷装置等の複数の電装機器３とを接続ケーブル（外部配線）４により接続して構成されている。制御機能付コネクタ装置１は電装機器３と接続ケーブル４との間に介装され、電装機器３に設けられた図示しないコネクタ嵌合部に嵌合されて電気的な接続及び機械的な固定が行われる。そして、各制御機能付コネクタ装置１には、通信アドレスが設定され、制御装置２から接続ケーブル４を介して多重化されて与えられる制御信号に基づいて電装機器３を制御し、或は、該電装機器３からの所定の信号を接続ケーブル４を介して制御装置２で受信するようになっている。電装機器３としては、例えば車載エアコンにおけるインストゥルメントパネル等に設置される各種作動部（例えば、吹出し部の風向き制御部）の駆動用のサーボモータ装置、各種センサなどが考えられる。接続ケーブル４は、複数の樹脂被覆電線を備えて構成されており、具体的には、例えば電源供給用の電源線４ａ、グランド線４ｂ及び信号伝送用の信号線４ｃから構成されている（図１参照）。
【００２４】
この制御機能付コネクタ装置１は、図１及び図２に示すように、ＩＣ１１等が実装された基板２０と、その基板２０を収容するハウジング１３とを備えてている。
【００２５】
ハウジング１３は、ハウジング本体１４と、そのハウジング本体１４に装着されるカバー（圧接カバー）１５とを備えている。
【００２６】
ハウジング本体１４は、内部に上記基板２０を収容固定可能なボックス状に形成されている。このハウジング本体１４の上面には、接続ケーブル４を内部に導入するための開口部（図示省略）が形成されている。そして、接続ケーブル４が当該開口部を通ってハウジング本体１４内に導入されて、後述する各圧接端子１６ａ，１６ｂ，１６ｃに接続される。また、この開口部に、カバー（圧接カバー）１５が装着される。
【００２７】
また、このハウジング本体１４のうち電装機器３と嵌合接続される部分１９に、後述す複数の接続端子１７が露出するように配設されている。そして、本制御機能付コネクタ装置１と電装機器３とが嵌合接続されると、当該各接続端子１７が電装機器３側の各端子と電気的に接続されるように構成されている。
【００２８】
さらに、ハウジング本体１４には、後述する除去部２２ａ，２２ｂ，２２ｃ，２２ｄで各アドレス設定用パターン３０ａ，３０ｂ，３０ｃ，３０ｄを切断するための治具５０等を挿入するための治具挿入孔１４ｈが形成されている。ここでは、各除去部２２ａ，２２ｂ，２２ｃ，２２ｄに対向する位置に治具挿入孔１４ｈが形成されている。なお、上記カバー１５は、この各治具挿入孔１４ｈをも覆うようにして装着される。
【００２９】
基板２０は、ポリイミド等の絶縁性ベースフィルムの一方面側に、銅箔等の導電性箔で所定の配線パターンを形成したフレキシブル配線基板である。この配線パターンにより、後述する各実装部品を接続する配線及びアドレス設定用パターン３０ａ，３０ｂ，３０ｃ，３０ｄが形成されている。
【００３０】
また、この基板２０には、通信及び制御等を統括するＣＰＵを構成するＩＣ１１、複数の圧接端子１６ａ，１６ｂ，１６ｃ、及び、電装機器３と電気的に接続される接続端子１７等が実装されている。
【００３１】
ＩＣ１１は、接続ケーブル４を介して制御装置２と通信を行う機能（通信機能）と、制御装置２から接続ケーブル４を介して多重化されて与えられる制御信号に基づいて電装機器３を駆動したり、或は、電装機器３からの信号を制御装置２側に送信する機能と、この制御機能付コネクタ装置１の通信アドレスの設定を後述するアドレス設定用パターン３０ａ，３０ｂ，３０ｃ，３０ｄの一端部の電位状態に基づいて受け付ける機能とを有している。
【００３２】
圧接端子１６ａ，１６ｂ，１６ｃは、基板２０上に立設するように実装されており、基板２０に設けられた図示しない所定の配線によりＩＣ１１と電気的に接続されている。
【００３３】
また、基板２０の一側領域に、アドレス設定用パターン３０ａ，３０ｂ，３０ｃ，３０ｄが形成されている。ここでは、４つのアドレス設定用パターン３０ａ，３０ｂ，３０ｃ，３０ｄが形成されている。
【００３４】
図４は、アドレス設定用の回路を示す図である。図２及び図４に示すように、各アドレス設定用パターン３０ａ，３０ｂ，３０ｃ，３０ｄの一端部は、それぞれＩＣ１１のアドレス設定用入力ポートＡ，Ｂ，Ｃ，Ｄに接続されると共に、それぞれプルアップ抵抗Ｒを介して所定の電位（例えば５Ｖ）の電源線に接続されている。また、各アドレス設定用パターン３０ａ，３０ｂ，３０ｃ，３０ｄの一端部は、グランド線に接続されている。このアドレス設定用回路３０ａ，３０ｂ，３０ｃ，３０ｄによって、どのようにアドレスが設定されるかについては、後に詳述する。
【００３５】
また、各アドレス設定用パターン３０ａ，３０ｂ，３０ｃ，３０ｄは、略Ｕ字状部分を有しており、その略Ｕ字状部分の中間部が基板２０の一側縁部に向いた姿勢となっている。なお、図２において、アドレス設定用パターン３０ａ，３０ｃの途中が切断された状態を示している。
【００３６】
上記基板２０の一側領域のうち、各アドレス設定用パターン３０ａ，３０ｂ，３０ｃ，３０ｄの略Ｕ字状の中間部分領域が除去部２２ａ，２２ｂ，２２ｃ，２２ｄとされている。基板２０のうち少なくともこの除去部２２ａ，２２ｂ，２２ｃ，２２ｄの部分は、ハウジング本体１４の内面に面接触する姿勢で、当該ハウジング本体１４内に配設固定されている（図６（ｂ）参照）。また、ハウジング本体１４の内面のうち、後述する打抜き用治具５０の環状刃部５０ａが除去部２２ａ，２２ｂ，２２ｃ，２２ｄを打抜く位置に、当該環状刃部５０ａが入り込み可能な環状溝１４ａが形成されている（図６（ｂ），図６（ｃ）参照）。そして、環状刃部５０ａが除去部２２ａ，２２ｂ，２２ｃ，２２ｄを打抜く際、環状溝１４ａ内に入り込むまで押込むことで、除去部２２ａ，２２ｂ，２２ｃ，２２ｄの所定部分をより完全に分離させるように打抜くことができる。
【００３７】
上記アドレス設定用パターン３０ａ，３０ｂ，３０ｃ，３０ｄを切断する作業について説明する。
【００３８】
まず、図７に示すような、打抜き用治具５０を準備する。この打抜き用治具５０は、略パイプ状の治具であり、その先端周縁部は、上記フレキシブル配線基板である基板２０を打抜き切断容易な環状刃部５０ａに形成されている。なお、本打抜き用治具５０には、周知の吸引手段が接続されており、打抜きカスが、打抜き用治具５０内を通って吸引除去されるようになっている。
【００３９】
そして、図５に示すように、打抜き用治具５０を、所望のアドレス設定用パターン３０ａ，３０ｂ，３０ｃ，３０ｄに対応する治具挿入孔１４ｈ内に挿入する。そして、図５及び図６（ａ）、図６（ｂ）に示すように、打抜き用治具５０の先端側の環状刃部５０ａを、所望の除去部２２ａ，２２ｂ，２２ｃ，２２ｄ、即ち、所望のアドレス設定用パターン３０ａ，３０ｂ，３０ｃ，３０ｄの略Ｕ字状部分の略中間部に押し当てる（例えば、図６（ａ）において破線で囲まれた部分）。すると、その除去部２２ａ，２２ｂ，２２ｃ，２２ｄが、環状刃部５０ａにより環状に打抜かれる。これにより、所望の除去部２２ａ，２２ｂ，２２ｃ，２２ｄにおいて所望のアドレス設定用パターン３０ａ，３０ｂ，３０ｃ，３０ｄが切断される。
【００４０】
かかる切断作業が、設定されるアドレスに応じて、所定のアドレス設定用パターン３０ａ，３０ｂ，３０ｃ，３０ｄに対して行われる。
【００４１】
図８及び図９は、各アドレス設定用パターン３０ａ，３０ｂ，３０ｃ，３０ｄの切断状況又は切断処理の有無と、設定されるアドレスとの関係を示している。
【００４２】
図４及び図８，図９に示すように、全てのアドレス設定用パターン３０ａ，３０ｂ，３０ｃ，３０ｄを切断しない（除去部２２ａ，２２ｂ，２２ｃ，２２ｄを除去しない）状態では（特に図８（ａ）参照）、ＩＣ１１の各アドレス設定用入力ポートＡ，Ｂ，Ｃ，Ｄは、プルアップ抵抗Ｒを介して所定の電位レベル（例えば５Ｖ）の電源線に接続されると共に、アドレス設定用パターン３０ａ，３０ｂ，３０ｃ，３０ｄを介してグランド線に接続されている。このため、各アドレス設定用入力ポートＡ，Ｂ，Ｃ，Ｄには、ローレベルであるグランド電位のアドレス設定用の信号が入力される。この各信号入力状態に応じて、ＩＣ１１は、例えば、”００００”のアドレス入力を受付ける。
【００４３】
また、例えば、一つのアドレス設定用パターン３０ｄだけを切断した（除去部２２ｄを除去した）状態では（特に図８（ｂ）参照）、これに対応するＩＣ１１のアドレス設定用入力ポートＤは、プルアップ抵抗Ｒを介して所定の電位レベル（例えば５Ｖ）の電源線にだけ接続され、グランド線への接続が断たれた状態となる。このため、当該アドレス設定用入力ポートＤには、ハイレベルである所定電位レベルの信号がアドレス設定用信号として入力される。すなわち、アドレス設定用入力ポートＡ，Ｂ，Ｃには、ローレベルであるアドレス設定用信号が入力され、アドレス設定用入力ポートＤには、ハイレベルであるアドレス設定用信号が入力される。この各信号入力状態に応じて、ＩＣ１１は、例えば、”０００１”のアドレス入力を受付ける。
【００４４】
また、例えば、一つのアドレス設定用パターン３０ｃだけを切断した（除去部２２ｃを除去した）状態では（特に図８（ｃ）参照）、上記と同様にして、これに対応するアドレス設定用入力ポートＣにハイレベルであるアドレス設定用信号が入力され、他のアドレス設定用入力ポートＡ，Ｂ，Ｄには、ローレベルであるアドレス設定用信号が入力される。この各信号入力状態に応じて、ＩＣ１１は、例えば、”００１０”のアドレス入力を受付ける。
【００４５】
またさらに、全てのアドレス設定用パターン３０ａ，３０ｂ，３０ｃ，３０ｄを切断した（除去部２２ａ，２２ｂ，２２ｃ，２２ｄを切断した）状態では（特に図８（ｄ）参照）、上記と同様にして、全てのアドレス設定用入力ポートＡ，Ｂ，Ｃ，Ｄに、ハイレベルであるアドレス設定用信号が入力される。この各信号入力状態に応じて、ＩＣ１１は、例えば、”１１１１”のアドレス入力を受付ける。
【００４６】
このように、各アドレス設定用パターン３０ａ，３０ｂ，３０ｃ，３０ｄの切断の有無（除去部２２ａ，２２ｂ，２２ｃ，２２ｄの除去の有無）により、ＩＣ１１に入力されるアドレス設定用の信号の信号レベルがハイ、ローに変化するようになっており、ＩＣ１１はこの各信号のハイ、ローの組み合わせパターンに基づいて通信アドレスの設定を行うようになっている。
【００４７】
本実施形態の場合、４つのアドレス設定用パターン３０ａ，３０ｂ，３０ｃ，３０ｄが設けられているため、各アドレス設定用入力ポートＡ，Ｂ，Ｃ，Ｄの入力信号のパターンとして、２の４乗である１６通（４ビット）の通信アドレス（例えば、”００００”〜”１１１１”）の設定が可能となっている。つまり、アドレス設定用パターン３０ａ，３０ｂ，３０ｃ，３０ｄをｎ個設ければ、２のｎ乗通りのアドレスを設定できる。
【００４８】
以上のように構成された制御機能付コネクタ装置１によると、除去部２２ａ，２２ｂ，２２ｃ，２２ｄでアドレス設定用パターン３０ａ，３０ｂ，３０ｃ，３０ｄが切断されることにより、ＩＣ１１が通信アドレスの設定を受け付けるため、制御機能付コネクタ装置１を電装機器に接続する段階で容易にアドレスを設定できる。従って、その前段階で、各制御機能付コネクタ装置１をアドレス別に管理する手間を省くことができる。また、ＩＣ１１等が実装される基板２０自体にアドレス設定用パターン３０ａ，３０ｂ，３０ｃ，３０ｄを形成しているため、従来のように、アドレス設定用の端子ピンを設ける必要が無く、部品点数を比較的少なくすることができる。
【００４９】
特に、基板２０としてフレキシブルプリント基板を用いているため、該基板２０を特殊な形状に加工しなくとも、上記打抜き用治具５０等を用いて容易に所定部分を打抜き除去できる。従って、フレキシブルプリント基板である基板２０の一部を除去部２２ａ，２２ｂ，２２ｃ，２２ｄとしてアドレス設定用パターン３０ａ，３０ｂ，３０ｃ，３０ｄと共に除去することで、アドレス設定用パターン３０ａ，３０ｂ，３０ｃ，３０ｄを途中で切断して、容易にアドレスを設定することができる。
【００５０】
しかも、ハウジング本体１４に、上記打抜き用治具５０を挿入するための治具挿入孔１４ｈが形成されているため、制御機能付コネクタ装置１を分解して外部に露出させることなく、アドレスを容易に設定できる。
【００５１】
図１０は、第１変形例を示す図である。この第１変形例では、上記基板２０に対応する基板１２０として、ガラスエポキシやガラスポリイミド等の絶縁性板の一方面側に、銅箔等の導電性箔で所定の配線パターンを形成した、一般的なプリント配線基板を用いている。
【００５２】
そして、その一側領域に、除去部として舌片状部分１２２を形成している。ここでは、４つの舌片状部分１２２が形成されている。各舌片状部分１２２は、基板１２０のうち、ＩＣ１１や圧接端子１６ａ，１６ｂ，１６ｃ、接続端子１７等が実装された基板本体部１２１の一側部から外方に延出するように延びる略方形舌片状に形成されている。すなわち、各舌片状部分１２２は、基端部のみが基板本体部１２１に一体化され、他の周囲３方が基板本体部１２１から分離された構成とされている。
【００５３】
また、上記各アドレス設定用パターン３０ａ，３０ｂ，３０ｃ，３０ｄに対応する各アドレス設定用パターン１３０ａ，１３０ｂ，１３０ｃ，１３０ｄは、略Ｕ字状部分を有しており、この略Ｕ字状部分が上記舌片状部分１２２を経由するように経路が形成されている。
【００５４】
さらに、各舌片状部分１２２の基端部には、分離ライン１２３が形成されている。この分離ライン１２３は、基板１２０のうち各アドレス設定用パターン１３０ａ，１３０ｂ，１３０ｃ，１３０ｄが形成された面の反対側の面に形成された略Ｖ字状或はＵ字状の溝や、間欠的なスリットによって構成されるミシン目状のラインであってもよい。図１０（ｂ）及び図１０（ｃ）では、分離ライン１２３は略Ｖ字状の溝に形成されている。
【００５５】
また、ハウジング本体１４の内面であって、分離ライン１２３よりも基板本体部１２１側の位置に、各舌片状部分１２２をハウジング本体１４の内面から浮いた姿勢で保持する突起部１１４が形成されている。
【００５６】
そして、棒状の治具１５０を、治具挿入孔１４ｈ内に挿入し、その治具１５０の先端部を所望の舌片状部分１２２に強く押し当てることで、分離ライン１２３に沿って当該所望の舌片状部分１２２が割れて基板本体部１２１から分離する。これにより、その舌片状部分１２２に形成された所定のアドレス設定用パターン１３０ａ，１３０ｂ，１３０ｃ，１３０ｄが切断されるようになっている。
【００５７】
そして、舌片状部分１２２の分離の有無に応じて、所定のアドレス設定用パターン１３０ａ，１３０ｂ，１３０ｃ，１３０ｄが切断され、これにより、上記実施形態と同様にして、アドレスが設定されるようになっている。
【００５８】
この第１変形例では、アドレス設定用パターン１３０ａ，１３０ｂ，１３０ｃ，１３０ｄが、略Ｕ字状を描いて基板２０の舌片状部分１２２を経由するように形成されているため、その舌片状部分１２２を分離させることで、アドレス設定用パターン１３０ａ，１３０ｂ，１３０ｃ，１３０ｄを途中で切断して、容易にアドレスを設定することができる。
【００５９】
しかも、舌片状部分１２２の基端部に分離ライン１２３が形成されているため、当該舌片状部分１２２を分離ライン１２３に沿って容易かつ正確な位置で、分離させることができる。
【００６０】
図１１は、第２変形例を示す図である。この第２変形例では、上記基板２０に対応する基板２２０として、ガラスエポキシやガラスポリイミド等の絶縁性板の一方面側に、銅箔等の導電性箔で所定の配線パターンを形成した、一般的なプリント配線基板を用いている。
【００６１】
また、基板２０を適宜打抜き加工等することにより、除去部として、長尺状部分であってその両側部が穴部をもって周囲から分離されたブリッジ状部分２２２が形成されている。ここでは、各アドレス設定用パターン２３０ａ，２３０ｂ，２３０ｃ，２３０ｄに応じて、４つのブリッジ状部分２２２が形成されている。
【００６２】
また、上記各アドレス設定用パターン３０ａ，３０ｂ，３０ｃ，３０ｄに対応する各アドレス設定用パターン２３０ａ，２３０ｂ，２３０ｃ，２３０ｄは略直線状に延びており、その途中部分が、上記各ブリッジ状部分２２２を経由するように形成されている。
【００６３】
さらに、上記各ブリッジ状部分２２２の両端部には、分離ライン２２３が形成されている。この分離ライン２２３は、上記分離ライン１２３と同様に、略Ｖ字状或はＵ字状の溝や、ミシン目状のラインであってもよい。図１１（ｂ）及び図１１（ｃ）では、分離ライン２２３は略Ｖ字状の溝に形成されている。
【００６４】
また、ハウジング本体１４の内面であって、両分離ライン２２３の外方の位置に、各ブリッジ状部分２２２をハウジング本体１４の内面から浮いた姿勢で保持する突起部２１４が形成されている。
【００６５】
そして、棒状の治具１５０を、治具挿入孔１４ｈ内に挿入し、その治具１５０の先端部を所望のブリッジ状部分２２２の中央部に強く押し当てることで、ブリッジ状部分２２２の中央部や分離ライン２２３に沿って当該所望のブリッジ状部分２２２が割れて基板２２０から分離する。これにより、そのブリッジ状部分２２２を経由するように形成された所定のアドレス設定用パターン２３０ａ，２３０ｂ，２３０ｃ，２３０ｄが切断されるようになっている。
【００６６】
そして、ブリッジ状部分２２２の分離の有無に応じて、所定のアドレス設定用パターン２３０ａ，２３０ｂ，２３０ｃ，２３０ｄが切断され、これにより、上記実施形態と同様にして、アドレスが設定されるようになっている。
【００６７】
この第２変形例では、基板に複数のブリッジ状部分２２２を形成し、各アドレス設定用パターン２３０ａ，２３０ｂ，２３０ｃ，２３０ｄが各ブリッジ状部分２２２を経由するように形成されていると、そのブリッジ状部分２２２を分離させることで、所望のアドレス設定用パターン２３０ａ，２３０ｂ，２３０ｃ，２３０ｄを途中で切断して、容易にアドレスを設定することができる。
【００６８】
また、そのブリッジ状部分２２２の両端部に分離ライン２２３が形成されているため、当該ブリッジ状部分２２２を分離ライン２２３に沿って容易かつ正確な位置で、分離させることができる。
【図面の簡単な説明】
【００６９】
【図１】実施形態に係る制御機能付コネクタ装置の全体構成を示す説明図である。
【図２】同上の制御機能付コネクタ装置内部の要部を示す図である。
【図３】同上の制御機能付コネクタ装置の適用例を示す図である。
【図４】アドレス設定用の回路を示す図である。
【図５】アドレス設定用パターンを切断する一工程を示す図である。
【図６】図６（ａ）はアドレス設定用パターンと打抜き位置との関係を示す図であり、図６（ｂ）は打抜き直前の状態を示す図であり、図６（ｃ）は打抜き直後の状態を示す図である。
【図７】打抜き用治具を示す図である。
【図８】アドレス設定用パターンの切断状態とアドレスとの関係を示す図である。
【図９】打抜き処理とアドレスとの関係を示す図である。
【図１０】図１０（ａ）は第１変形例に係る基板とアドレス設定用パターンとを示す図であり、図１０（ｂ）は舌片状部分を分離する一工程を示す図であり、図１０（ｃ）は舌片状部分を分離する他の工程を示す図である。
【図１１】図１１（ａ）は第２変形例に係る基板とアドレス設定用パターンとを示す図であり、図１１（ｂ）はブリッジ状部分を分離する一工程を示す図であり、図１１（ｃ）はブリッジ状部分を分離する他の工程を示す図である。
【符号の説明】
【００７０】
１  制御機能付コネクタ装置
１３  ハウジング
１４  ハウジング本体
１４ｈ  治具挿入孔
２０  基板
２２ａ，２２ｂ，２２ｃ，２２ｄ  除去部
３０ａ，３０ｂ，３０ｃ，３０ｄ  アドレス設定用パターン
５０  打抜き用治具
１２０  基板
１２２  舌片状部分
１２３  分離ライン
１３０ａ，１３０ｂ，１３０ｃ，１３０ｄ  アドレス設定用パターン
２２０  基板
２２２  ブリッジ状部分
２２３  分離ライン
２３０ａ，２３０ｂ，２３０ｃ，２３０ｄ  アドレス設定用パターン
【図１】
2005276489.tif 000003
【図２】
2005276489.tif 000004
【図３】
2005276489.tif 000005
【図４】
2005276489.tif 000006
【図５】
2005276489.tif 000007
【図６】
2005276489.tif 000008
【図７】
2005276489.tif 000009
【図８】
2005276489.tif 000010
【図９】
2005276489.tif 000011
【図１０】
2005276489.tif 000012
【図１１】
2005276489.tif 000013